(57)【特許請求の範囲】
【請求項１】
マスク据え置き装置であって、土台部と、該土台部に支持接合されたアーム部とで構成され、前記土台部は、両端に設けられる端部土台部部位と、２つの前記端部土台部部位に接合される中間土台部部位とを備え、前記アーム部は、前記中間土台部部位に接合される第一のアーム部部位と、前記第一のアーム部部位に接合される第二のアーム部部位を備え、前記土台部及び前記アーム部は、角度変更機能ならびに角度保持機能を具備し、接合部によって接合される前記端部土台部部位、前記中間土台部部位、前記第一のアーム部部位、前記第二のアーム部部位のそれぞれは、各接合部を軸として回転し、個別に、任意角度で保持可能であり、前記端部土台部部位及び前記第二のアーム部部位には、それぞれマスク耳掛け部を引っかける凸部を有し、前記第一のアーム部部位と前記中間土台部部位の接合部を軸とした回転、及び、前記第一のアーム部部位と前記第二のアーム部部位の接合部を軸とした回転によって、前記端部土台部部位の前記凸部と前記第二のアーム部部位の前記凸部の間の直線距離が伸縮され、マスクの引っ掛け保持テンション調整が可能であることを特徴とするマスク据え置き装置。
【請求項２】
各接合部を軸として回転させる事により、前記土台部及び前記アーム部を折りたたみ形態に変形可能とする事を特徴とする請求項１に記載のマスク据え置き装置。
【請求項３】
前記折りたたみ形態において、前記土台部の内面側と、前記アーム部の内面側との間に、液体スプレー容器を収納可能とする事を特徴とする請求項２に記載のマスク据え置き装置。
【発明の詳細な説明】
【技術分野】
【０００１】本発明は、衛生的且つ、利便性や携帯性に優れたマスクの据え置き装置に関する。
【背景技術】
【０００２】コロナウィルスの影響で人々のマスク着用率が急増した。外出時の食事等で一時的にマスクを外す必要がある際には通常、外したマスクを衣類のポケットや鞄にしまったりテーブルの上に置いて保管・据え置きをする事となる。
その場合、保管・据え置き先に付着している汚れやウィルス菌をマスクに再付着させてしまう危険性があり、この可能性がある限り一度外したマスクは衛生が保たれないと考えられる。【０００３】仮にマスク使用者本人がコロナウィルスなどの病原ウィルスに感染している場合、使用中のマスクには使用者が感染しているものと同様のウィルス菌が付着していると考えられる。この様なマスクを取り外した際に公共物の上に置いたり何らかに接しさせた場合、マスクに付着しているウィルス菌をその場所にさらに再付着させ、結果としてウィルス菌を広め拡散させてしまうという危険性が考えられる。【０００４】上記危険性を回避、また衛生保全として、マスク専用の保管ケースが技術考案されている。保管部には抗菌加工が施されている為、ケース内での菌の繁殖を防ぐ。
ただし一時的に外したマスク（使用済みマスク）にはウィルス菌の他に使用者の汗等の体液や雨等の水分も付着している状態が考えられる。
基本的にマスクの保管ケースにはマスクを乾燥させる機能は備わっていない。
ケース内に、体液や雨等の水分が付着したマスクを保管したとしてもマスクは湿ったままであり、マスクの使用感は改善されない。【０００５】濡れたり湿った使い捨てマスクは、フィルターの劣化により、機能が損なわれるために、新品と交換することが推奨されているが、コロナ禍によりマスクの需要が急増しており、価格が高騰したりと入手が困難な状況である為、多少の劣化では破棄せずに、できるだけ長く使い続けたいという人間心理がある。【０００６】マスクに染み込ませたり、噴霧する除菌液が市場に多く流通している。一般的にアルコール成分を含んでおり、マスクに除菌液を使用した際には除菌液を乾燥させてから着用する事が必要条件となる。
マスクを乾燥する状況を考えたときに、何かに吊り下げたり、机の上に置いたりといった措置ではマスクが無防備であるため、乾燥中に汚れやウィルス菌がどこからか付着してしまう危険性がある。
即ち、マスクを乾燥させる時には、マスクが専用の装置で適切な形態を保持していることが望ましいと考えられる。
【先行技術文献】
【特許文献】
【０００７】
【特許文献１】実用新案登録第３１５８１５９号公報
【特許文献２】特許第５７２４０５８号公報
【発明の概要】
【発明が解決しようとする課題】
【０００８】上記技術背景を纏めると
１一時的に外したマスクの保管先・据え置き先に、汚れやウイルス菌が付着していると、その場所にマスクが接した際、汚れやウイルス菌がマスクにまで再付着する危険性がある。
２マスク使用者本人が気付かずにコロナウィルスなどの病原ウィルスに感染している場合、その使用中マスクを取り外して公共物の上に置いたり何らかに接しさせてしまうと、その場所にウィルス菌を再付着させ、ウィルス菌拡散につながってしまう。
３マスクに汗や雨等の水分が付着していると、マスクとしての機能が損なわれるだけでなく不快感を伴う。また除菌液の噴霧等においても、当然マスクは湿り気を帯びる。
上記１〜３事項から、使用者から外されたマスクについては、適切な形態でマスクを保管し、保持・乾燥ができる装置が必要である事が判明する。
また、マスク除菌液の流通量が増加傾向にあり、マスクに除菌液を噴霧するエチケット習慣が、今後広く浸透する可能性が極めて高い為、除菌液の簡易なる携帯手段についても勘案すべきである。
よって本発明は上記１〜３事項の危険性や問題点と、前述の除菌液の簡易なる携帯手段についても解決する装置を提供することを課題とする。
【課題を解決するための手段】
【０００９】本発明は前記課題を達成する為に、次のような手段を講じたものである。【００１０】マスクを据え置く装置であって、複数土台部部位から接合形成される土台部と、土台部該部位に支持接合されたアーム部とで構成され、前記アーム部においても、複数アーム部部位で接合形成されており、各部位に在す接合部は、接合元もしくは接合先である、土台部各部位もしくはアーム部各部位の、角度変更機能ならびに角度保持機能を具備し、よって、前記土台部と前記アーム部の、それぞれの各部位は、該接合部を軸として、個別に有限角度内にて任意角度で保持可能であり、土台部該部位とアーム部該部位においては、マスク耳掛け部を引っかける凸部を有する事を特徴とする。【００１１】前記土台部各部位と、前記アーム部各部位を、該接合部を軸として、各部位、個別に折りたたむ事を特徴とするマスク据え置き装置。【００１２】前記複数アーム部部位で接合形成されるアーム部において、空間を有する事を特徴とする、マスク据え置き装置。
【発明の効果】
【００１３】本発明は、使用中マスクの据え置き装置であり、マスクを装置に据え置く事で、外部からの汚れやウィルス菌の付着、そしてそれとは逆に、使用中マスクからの公共物への汚れやウィルス菌の付着を防ぐ。さらに本発明装置は展開形態と折りたたみ形態に、状況に応じて形態を変える事ができ、携帯性に優れた折りたたみ形態時においては、装置内部に液体スプレー容器を内包携帯でき、その液体スプレー容器に入っている除菌液を、装置展開形態時に据え置いたマスクに噴霧し、据え置き状態のままマスクを乾燥させる事が可能である。
【図面の簡単な説明】
【００１４】
【図１】  装置展開形態斜視図である。
【図２】  装置展開形態時マスク据え置き斜視図である。
【図３】  装置展開形態側面図である。
【図４】  装置折りたたみ形態側面図である。
【図５】  液体スプレー容器内包確認斜視図である。
【発明を実施するための形態】
【００１５】本発明装置は、マスクを据え置く装置展開形態と、持ち運び時等の携帯性に優れた装置折りたたみ形態に、状況に応じて形態選択できる。
以上、本発明装置の実施の形態を、装置展開形態時に関する図１・図２・図３、装置折りたたみ形態時に関する図４・図５に基づいて説明する。
【００１６】図１、図３が示す様に、本発明装置は、土台部である３ａ部位、３ｂ部位、３ｅ部位、そして土台部３ｅ部位に接合されたアーム部３ｃ部位、同じくアーム部であるアーム部３ｄ部位から構成されている。即ち、土台部は三分割して、三体の土台部部位（３ａ部位、３ｂ部位、３ｅ部位）の接合体で形成され、アーム部においてはニ分割して、ニ体のアーム部部位（３ｃ部位、３ｄ部位）の接合体で形成されている。
【００１７】図２を参照頂きたい。土台部３ａ部位は凸部１ａ、アーム部３ｄ部位は凸部１ｂを有している。二つの凸部の役割として、マスク据え置き時、凸部１ａにマスクの片方耳掛け部を引っ掛ける。この時マスクの口元に触れる面（裏面とする）を下側にする。そしてもう片方の耳掛け部を凸部１ｂに引っ掛けることにより、マスクを裏面が下になった右肩上がりの状態で装置に据え置きできる。即ち、マスクを装置以外の物体（机上や鞄内、等）に干渉させる事なく据え置きでき、また、装置上部から降下するウィルス菌やホコリ等がマスク裏面へ付着する危険性を防ぐ事ができる。
【００１８】土台部３ｅ部位とアーム部３ｃ部位の接合部、ならびに土台部各部位とアーム部各部位の隣接する部位同士の接合部（本発明装置に在する全ての接合部）は、接合元もしくは接合先である、土台部各部位もしくはアーム部各部位の、角度変更機能と角度保持機能を具備している。よって、各部各部位の接合方法として具体的には、フリーストップ機能を具備したトルクヒンジで接合する事が望ましい。
【００１９】マスクにおいては、サイズや形状・デザインによって、マスク耳掛け部の左端から右端までの幅が異なっている。即ち、マスク耳掛け部両端幅には個体差があり、本発明装置に据え置く際には、マスク個体別に、適した引っ掛け保持テンションを得る調整が必要である。ここで、図２を参照頂きたい。接合部２ｂもしくは２ｄが、アーム部３ｃ部位もしくは３ｄ部位の角度変更機能を具備している為、アーム部３ｃ・３ｄ部位の角度変更によって、マスク耳掛け部を引っかける凸部１ａから凸部１ｂ間の直線距離を変化できる。よって、マスク個体別に、マスクの引っ掛け保持テンションを調整することが可能である。
【００２０】凸部１ａにおいて、溝が設けられている。溝の意図は、マスク耳掛け部の引っ掛け具合を強化する事にある。即ち、仮に凸部１ａに、この様な溝が設けられていない、つるつるの状態でマスク耳掛け部を引っ掛ける事を想定した時、マスクの引っ掛け保持テンションが強すぎると、マスク耳掛け部が、凸部１ａからずれ外れてしまう恐れが考えられる。このような対策として凸部１ａには溝、または引っ掛け具合を強化する何かしらの工夫が必要である。また、凸部１ｂにおいても同じ事が言える。
【００２１】図２を参照頂きたい。土台部３ｂ部位上に液体スプレー容器１０が起立している。また、アーム部３ｃ・３ｄ部位に空間ｘと空間ｙが設けられている。本発明装置に据え置きされたマスク２０に対して液体スプレー容器１０に入っているマスク除菌液を、空間ｘ・ｙを設ける事によって、アーム部３ｃ・３ｄ部位に防がれる事なく噴霧できる。要するに、マスク据え置き状態のまま、マスク除菌液を噴霧でき、さらにはそのままマスクを自然乾燥できるのである。
【００２２】液体スプレー容器１０に入っている液体についてはマスク除菌液に限らないと言える。例えば花粉アレルギー対策としての成分が配合された液体や、アロマ成分が配合されたリラックス作用を醸す液体等、使用者の需要や状況に応じて、噴霧する液体を選択保存し、使い分けてよい。（いずれの液体も、噴霧して乾燥後、人体に無害である事が条件である。）
【００２３】図３と図４を見比べ参照頂きたい。装置展開形態から装置折りたたみ形態への形態変更手順を説明する。装置展開形態時において、まず、アーム部３ｄ部位を、（接合部２ｄを軸として、）アーム部３ｃ部位に重なるように山折りしながら、（この時、凸部１ｂはアーム部３ｃ部位に設けられた凹部１ｃに収納される。）重なり合うアーム部３ｃ・３ｄを、土台部３ｅ部位に対して垂直になるように、（接合部２ｂを軸として、）起立させる。そして、土台部３ｂ部位を、土台部３ｅ部位に対して直角になるように、（接合部２ｃを軸として、）起立させる。
最後に土台部３ａ部位も、土台部３ｅ部位に対して直角になるように、（接合部２ａを軸として、）起立させると、装置折りたたみ形態となる。
【００２４】装置折りたたみ形態について説明する。重なり合ったアーム部３ｃ・３ｄ部位には空間ｘ・ｙが設けられている。この空間ｘ・ｙに液体スプレー容器１０を内包できるので、装置折りたたみ形態時においては、液体スプレー容器１０を、嵩張ることなくコンパクトに、装置と一緒に携帯できる。
【００２５】空間ｘ・ｙに内包される液体スプレー容器の体積は、空間ｘ・ｙの容積よりも小さいか、もしくは同等以下のサイズであるべきである。前記サイズの条件に合えば、市販の液体スプレー容器をも本発明装置に内包できると言える。
【００２６】本発明装置は、空間ｘ・ｙの容積・形状によって、内包できる液体スプレー容器の体積・形状の条件が決定される。よって、空間ｘ・ｙの容積・形状に合わせた、内包する液体スプレー容器の体積・形状を設計できる。また、これとは逆に、内包したい液体スプレー容器の体積・形状に適する、空間ｘ・ｙの容積・形状を考えて、そこから装置自体の体積等を設計する事も可能である。
【００２７】凸部１ａについて説明する。装置折りたたみ形態時においての凸部１ａは、土台部３ａ部位とともに、内包した液体スプレー１０を装置外から出さないフタの役割をしている。図５を参照頂きたい。装置に液体スプレー容器１０が挿入され、ここで、土台部３ａ部位を、土台部３ｅ部位に対して直角になるように（接合部２ａを軸として、）起立させると、凸部１ａ、土台部３ａ部位が、液体スプレー１０を装置外から出さないフタの役割をしながら、装置は折りたたみ形態となる。
【００２８】本発明装置、または液体スプレー容器１０の原材料は、ポリエチレン、ポリプロピレン等、噴霧する除菌液のアルコール成分に対しての耐性がある材質であれば、特に指定はない。
【００２９】本発明装置の発展性について説明する。図１を参照頂きたい。例えば、土台部３ｂ部位後方に、仮定土台部３ｆ部位を接合し、（この接合部を仮定接合部２ｅとする。）この仮定土台部３ｆ部位を、マスクを入れるケースのような構造に設計すれば、スペアマスクを予備携帯できるようになる。折りたたみ携帯時においての仮定土台部３ｆは、土台部位３ｂ部位に対し、（仮定接合部２ｅを軸として、）山折りで折りたためば、嵩張ることはなく、装置の携帯性は損なわれない。
【００３０】以上、本発明を説明してきたが、本発明はこれらに限定されるものではない。また、前述した各種効果は、本発明から生じる好適な効果を列挙したに過ぎず、記載されたものに限定されるものではない。
【符号の説明】
【００３１】１ａ、１ｂ              マスク耳掛け部引っ掛け凸部
１ｃ                    凸部１ｂ収納凹部
２ａ、２ｂ、２ｃ、２ｄ  接合部
３ａ、３ｂ、３ｅ        土台部部位
３ｃ、３ｄ              アーム部部位
ｘ                      アーム部３ｃ部位に設ける空間
ｙ                      アーム部３ｄ部位に設ける空間
１０                    液体スプレー容器
２０                    マスク
【要約】      （修正有）【課題】折りたたみ機能を有し、折りたたみ時に液体スプレー容器を内包できる、携帯性に優れたマスクの据え置き装置を提供する。【解決手段】折りたたみ状態で液体スプレー容器１０を内包しながら持ち運びをし、使用時には装置を展開してマスクを据え置き保管する。土台部３ａとアーム部３ｄに、マスクの耳掛け部を引っ掛ける凸部１ｂを有し、マスクを裏面部（口当部側）が下側を向きつつ右肩上がりの状態で保持できる。アーム部３ｃ、３ｄの角度変更によって、各種マスクの耳掛け幅に対応できる。携帯時には、土台部３ａ、３ｂ、３ｅと、アーム部３ｃ、３ｄを折りたたみ、重なったアーム部の空間ｘ・ｙにて容器１０を収納できる。装置展開状態時にて土台部３ｂ部位に、内包していた容器１０を置き、空間ｘ・ｙが設けられている効果で、マスクを据え置きしたまま、アーム部が妨害することなくマスクへ除菌液を噴霧でき、そのままマスクを乾燥可能である。【選択図】図２【図１】
0006935637.tif 000002
【図２】
0006935637.tif 000003
【図３】
0006935637.tif 000004
【図４】
0006935637.tif 000005
【図５】
0006935637.tif 000006